(57)【要約】【課題】従来の電気泳動表示パネルでは、上部基板側に帯電粒子が移動したときに、隔壁の側面と帯電粒子との間に存在する隙間が大きいため、この隙間を通して、セル内部に存在する表示させたくない色の粒子、若しくは表示させたくない色の分散媒が見えてしまう。このため、色の違いをはっきりと出すことができなかった。【解決手段】隔壁の側面に突出部を設けて、隔壁の側面と帯電粒子との間に存在する隙間を小さくする。これにより、表示させたくない色の粒子、若しくは表示させたくない色の分散媒が見え難くなるため、色の違いをはっきりと出すことができる。【選択図】        図６
2008083450.tif 000002
【特許請求の範囲】
【請求項１】
透明な上部基板と、前記上部基板と対向して配置する下部基板と、前記上部基板と前記下部基板との基板間を複数のセルに区画する隔壁と、複数の帯電粒子を分散させ、前記セルに充填された分散媒とを備えた電気泳動表示パネルにおいて、
前記上部基板側から見たときの、前記隔壁の長手方向と垂直な方向を第一方向とするとき、
前記隔壁が、第一方向において前記セル側に突出した突出部を備えたことを特徴とする電気泳動表示パネル。
【請求項２】
前記隔壁の長手方向において、前記突出部が一定の間隔で周期的に形成されていることを特徴とする請求項１記載の電気泳動表示パネル。
【請求項３】
前記帯電粒子の平均粒子径をＤとするとき、前記隔壁の長手方向において、前記突出部が（√３）Ｄの間隔で周期的に形成されていることを特徴とする請求項２記載の電気泳動表示パネル。
【請求項４】
前記帯電粒子の平均粒子径をＤとするとき、前記隔壁の長手方向において、前記突出部がＤの間隔で周期的に複数形成されていることを特徴とする請求項２記載の電気泳動表示パネル。
【請求項５】
前記セルが前記上部基板側から見たときに矩形になるように、互いに長手方向が同じ方向である２つの第一隔壁と、前記第一隔壁の長手方向と垂直な方向を長手方向とする２つの第二隔壁と、を備え、
前記帯電粒子の平均粒子径をＤとするとき、第一隔壁の長手方向において、前記突出部が（√３）Ｄの間隔で周期的に第一隔壁に形成されており、
第二隔壁の長手方向において、前記突出部がＤの間隔で周期的に第二隔壁に複数形成されていることを特徴とする請求項２記載の電気泳動表示パネル。
【請求項６】
前記隔壁の突出部は、前記上部基板と前記下部基板との間にわたって柱状に形成されており、
前記帯電粒子の平均粒子径をＤとするとき、突出部の最大突出距離がＤ／２以下であることを特徴とする請求項１から請求項５のいずれかに記載の電気泳動表示パネル。
【請求項７】
前記隔壁が、前記長手方向に伸びる長方形状の底面を有する四角柱状の基部と、前記上部基板から見たときに三角形の底面を有する三角柱形状の突出部とを備えたことを特徴とする請求項６記載の電気泳動表示パネル。
【請求項８】
前記第一方向において隣り合うセルを第一セルと第二セルとするとき、
前記隔壁が、前記長手方向において（（√３）／２）Ｄの間隔で第一セルへの突出部と第二セルへの突出部とを交互に繰返し配列した波形状であることを特徴とする請求項６記載の電気泳動表示パネル。
【請求項９】
前記帯電粒子として第一色の第一帯電粒子と、前記第一色とは異なる色で且つ前記第一帯電粒子とは極性の異なる第二帯電粒子とを備え、
前記突出部の色が第一色又は第二色のいずれかであることを特徴とする請求項１から請求項８のいずれかに記載の電気泳動表示パネル。
【請求項１０】
前記帯電粒子として第一色の第一帯電粒子と、前記第一色とは異なる色で且つ前記第一帯電粒子とは極性の異なる第二帯電粒子とを備え、
前記突出部の色が第一色と第二色との中間色であることを特徴とする請求項１から請求項８のいずれかに記載の電気泳動表示パネル。
【請求項１１】
前記帯電粒子として第一色の帯電粒子と、前記分散媒として第二色の分散媒とを備え、
前記突出部の色が第一色又は第二色であることを特徴とする請求項１から請求項８のいずれかに記載の電気泳動表示パネル。
【請求項１２】
前記帯電粒子として第一色の帯電粒子と、前記分散媒として第二色の分散媒とを備え、
前記突出部の色が第一色と第二色との中間色であることを特徴とする請求項１から請求項８のいずれかに記載の電気泳動表示パネル。
【請求項１３】
前記隔壁前記上部基板側の端部に、前記上部基板と垂直に交わる垂直面を備えたことを特徴とする請求項１から請求項１２のいずれかに記載の電気泳動表示パネル。
【発明の詳細な説明】
【技術分野】
【０００１】
本発明は、電気泳動表示パネルに関するものである。
【背景技術】
【０００２】
従来から画像を表示するための表示パネルとして、電気泳動表示パネルが知られている。この電気泳動表示パネルは、透明な上部基板と、この上部基板に対向して配置される下部基板とを備える。上部基板と下部基板との間には、多数の帯電粒子を分散した分散媒が封入されている。帯電粒子は、正か負かのいずれかの極性に帯電している。基板間に封入されている分散媒に電界を加え、この帯電粒子を上部基板側若しくは下部基板側のいずれかに移動させることにより、上部基板の表示面に任意の画像を表示させる。
【０００３】
無色の分散媒に、互いに色の異なる２種類の帯電粒子を分散させた電気泳動表示パネルが一般的に知られている。この場合、正に帯電した第一色（例えば黒色）の第一帯電粒子と、負に帯電した第二色（例えば白色）の第二帯電粒子との２種類の帯電粒子が一緒に分散されている。
【０００４】
このような構成で、上部基板側から下部基板側の向きに正の電界を発生させると、正に帯電した第一帯電粒子は上部基板側に移動し、負に帯電した第二帯電粒子は下部基板側に移動する。このとき上部基板の表示面には第一帯電粒子の色（例えば黒色）が表示される。また、下部基板側から上部基板側の向きに正の電界を発生させると、第一帯電粒子が下部基板側に移動し、第二帯電粒子が上部基板側に移動する。このとき上部基板には第二帯電粒子の色（例えば白色）が表示される。このように、上部基板側に移動させる帯電粒子の種類を電界の方向により制御することで、任意の画像を表示面に表示させることができる。
【０００５】
また、これとは別の電気泳動表示パネルとして、所定の第一色（例えば黒色）に着色された分散媒に、第二色（例えば白色）の帯電粒子のみを分散させたものも知られている。この電気泳動表示パネルでは、下部基板側に帯電粒子が移動した場合は表示面には分散媒の色である第一色が表示され、上部基板側に帯電粒子が移動した場合は表示面には帯電粒子の色である第二色が表示される。
【０００６】
これらの電気泳動表示パネルにおいて、従来から上部基板と下部基板との基板間に隔壁を設け、基板間を複数のセル（領域）に区画することにより、分散媒中の帯電粒子の偏りや凝集を防止することが知られている。例えば、特許文献１に、この隔壁を備えた電気泳動表示パネルが記載されている。
【特許文献１】特開昭５９−３４５１８公報
【発明の開示】
【発明が解決しようとする課題】
【０００７】
特許文献１記載の電気泳動表示パネルのように、隔壁により複数のセルに区画された場合では、上部基板側から電気泳動表示パネルを見たときに、帯電粒子と隔壁との間の隙間がセルの外周部に存在してしまう。
【０００８】
例えば第一帯電粒子と第二帯電粒子とを備えた電気泳動表示パネルにおいて、表示面に第一色が表示されている場合、上述の隙間から第二帯電粒子の第二色が見える。逆に、表示面に第二色が表示されている場合、上述の隙間から第一帯電粒子の第一色が見える。このため、表示面に第一色を表示させる場合と、表示面に第二色を表示させる場合とで、色の違いをはっきりと出すことができなかった。
【０００９】
また、同様に第一色の帯電粒子と第二色の分散媒とを備えた電気泳動表示パネルにおいて、表示面に第一色が表示されている場合、上述の隙間から分散媒の第二色が見えてしまう。このため、表示面に第一色を表示させる場合と、表示面に第二色を表示させる場合とで、色の違いをはっきりと出すことはできなかった。
【００１０】
ここで、第一色の第一帯電粒子と第二色の第二帯電粒子とを備えた従来の電気泳動表示パネル１１００での表示について説明する。図２２は、従来の電気泳動表示パネル１１００における、隣り合う２つのセル１１４０の拡大図である。図２２では、白色を表示させたときの例を示してある。セル１１４０は、上部基板側から見たときに矩形になるように、２つの隔壁１１５１Ｓと２つの隔壁１１５１Ｖとの計４つの隔壁１１５１で区画される。尚、隔壁１１５１Ｖと隔壁１１５１Ｓとをまとめて隔壁１１５１と称す。隔壁１１５１Ｖは、上部基板側から見たときに電気泳動表示パネル１１００の上下方向を長手方向にして形成されている。隔壁１１５１Ｓは、上部基板側から見たときに電気泳動表示パネル１１００の左右方向を長手方向にして形成されている。
【００１１】
図２２において、電気泳動表示パネル１１００は、白粒子１１４１が最密に並んだ状態で上部基板側に付着して白色を表示している。
【００１２】
このように、上部基板側に白粒子１１４１が最密に並んだ状態のときは、隣り合う白粒子１１４１の隙間が最小になるので、最も白く白色を表示することができる。しかしながら、セル１１４０の外周部では、白粒子１１４１と隔壁１１５１との間に隙間が生じる。      
【００１３】
隔壁１１５１Ｖと白粒子１１４１との間に生じる隙間を隙間１１６１と称す。また、隔壁１１５１Ｓと白粒子１１４１との間に生じる隙間を隙間１１６２と称すまた、セル１１４０の４隅に生じる隙間を隙間１１６３と称す。隙間１１６１〜１１６３をまとめて隙間１１６０と称す。図２３に、セル１１４０の外周に生じる白粒子１１４１と隔壁１１５１との間の隙間１１６０（隙間１１６１〜１１６３）を斜線の領域で示す。
【００１４】
このような隙間１１６０が生じると、図２２に示したように上部基板側に付着した白粒子１１４１の奥に存在する黒粒子１１４２がこの隙間１１６０から見えてしまう。
【００１５】
したがって、従来の電気泳動表示パネル１１００で白色を表示した場合では、図２２に示すように、この隙間１１６０から見える黒粒子１１４２の分だけ少し黒味がかった白色しか表示することができない。ここでは、白色を表示した場合を例に挙げて説明したが、これとは逆に電気泳動表示パネル１１００で黒色を表示した場合も同様のことが言える。
【００１６】
このように、従来の電気泳動表示パネル１１００では、少し黒味がかった白色と少し白味がかった黒色とでしか色の切り替えをすることができなかったので、表示させる色を切り替える前と切り替えた後とで色の違いをはっきりと出すことができなかった。
【００１７】
次に、第一色の帯電粒子と第二色の分散媒とを備えた電気泳動表示パネルの一例として電気泳動表示パネル１２００について説明する。尚、従来の電気泳動表示パネル１１００と同じ構成のものについては同じ符号を付して説明する。
【００１８】
図２４は、従来の電気泳動表示パネル１２００におけるセル１１４０の拡大図である。図２４では、白色を表示させたときの例を示してある。
【００１９】
図２４において、電気泳動表示パネル１２００は、白粒子１１４１が最密に並んだ状態で上部基板側に付着して白色を表示している。
【００２０】
この場合も電気泳動表示パネル１１００と同様にセル１１４０の外周には白粒子１１４１と隔壁１１５１との間には隙間１１６０が生じる（図２３参照）。
【００２１】
隙間１１６０が生じると、図２４に示したように上部基板側に付着した白粒子１１４１の奥に存在する分散媒１２４３がこの隙間１１６０から見えてしまう。
【００２２】
このように、従来の電気泳動表示パネル１２００で白色を表示した場合では、図２４に示すように、この隙間１１６０から見える分散媒１２４３の分だけ少し黒味がかった白色しか表示することができない。
【００２３】
一方、電気泳動表示パネル１２００で黒色を表示させる場合は、白粒子１１４１は下部基板側に移動されているので、セル１１４０全体を黒色にすることができる。
【００２４】
しかしながら、従来の電気泳動表示パネル１２００では、少し黒味がかった白色と黒色とでしか色の切り替えをすることができなかったので、表示させる色を切り替える前と切り替えた後とで色の違いをはっきりと出すことができなかった。
【００２５】
本発明は、上述した問題点を解決するためになされたものであり、表示面に表示させる色を切り替える前と切り替えた後とで、色の違いをはっきりと出すことのできる電気泳動表示媒体を提供することを目的とする。
【課題を解決するための手段】
【００２６】
請求項１記載の電気泳動表示パネルは、透明な上部基板と、前記上部基板と対向して配置する下部基板と、前記上部基板と前記下部基板との基板間を複数のセルに区画する隔壁と、複数の帯電粒子を分散させ、前記セルに充填された分散媒とを備えた電気泳動表示パネルにおいて、前記上部基板側から見たときの、前記隔壁の長手方向と垂直な方向を第一方向とするとき、前記隔壁が、第一方向において前記セル側に突出した突出部を備えたことを特徴とする。
【００２７】
また、請求項２記載の電気泳動表示パネルは、請求項１記載の電気泳動表示パネルであって、前記隔壁の長手方向において、前記突出部が一定の間隔で周期的に形成されていることを特徴とする。
【００２８】
また、請求項３記載の電気泳動表示パネルは、請求項２記載の電気泳動表示パネルであって、前記帯電粒子の平均粒子径をＤとするとき、前記隔壁の長手方向において、前記突出部が（√３）Ｄの間隔で周期的に形成されていることを特徴とする。
【００２９】
また、請求項４記載の電気泳動表示パネルは、請求項２記載の電気泳動表示パネルであって、前記帯電粒子の平均粒子径をＤとするとき、前記隔壁の長手方向において、前記突出部がＤの間隔で周期的に複数形成されていることを特徴とする。
【００３０】
また、請求項５記載の電気泳動表示パネルは、請求項２記載の電気泳動表示パネルであって、前記セルが前記上部基板側から見たときに矩形になるように、互いに長手方向が同じ方向である２つの第一隔壁と、前記第一隔壁の長手方向と垂直な方向を長手方向とする２つの第二隔壁と、を備え、前記帯電粒子の平均粒子径をＤとするとき、第一隔壁の長手方向において、前記突出部が（√３）Ｄの間隔で周期的に第一隔壁に形成されており、第二隔壁の長手方向において、前記突出部がＤの間隔で周期的に第二隔壁に複数形成されていることを特徴とする。
【００３１】
また、請求項６記載の電気泳動表示パネルは、請求項１から請求項５のいずれかに記載の電気泳動表示パネルであって、前記隔壁の突出部は、前記上部基板と前記下部基板との間にわたって柱状に形成されており、前記帯電粒子の平均粒子径をＤとするとき、突出部の最大突出距離がＤ／２以下であることを特徴とする。
【００３２】
また、請求項７記載の電気泳動表示パネルは、請求項６記載の電気泳動表示パネルであって、前記隔壁が、前記長手方向に伸びる長方形状の底面を有する四角柱状の基部と、前記上部基板から見たときに三角形の底面を有する三角柱形状の突出部とを備えたことを特徴とする。
【００３３】
また、請求項８記載の電気泳動表示パネルは、請求項６記載の電気泳動表示パネルであって、前記第一方向において隣り合うセルを第一セルと第二セルとするとき、前記隔壁が、前記長手方向において（（√３）／２）Ｄの間隔で第一セルへの突出部と第二セルへの突出部とを交互に繰返し配列した波形状であることを特徴とする。
【００３４】
また、請求項９記載の電気泳動表示パネルは、請求項１から請求項８のいずれかに記載の電気泳動表示パネルであって、前記帯電粒子として第一色の第一帯電粒子と、前記第一色とは異なる色で且つ前記第一帯電粒子とは極性の異なる第二帯電粒子とを備え、前記突出部の色が第一色又は第二色のいずれかであることを特徴とする。
【００３５】
また、請求項１０記載の電気泳動表示パネルは、請求項１から請求項８のいずれかに記載の電気泳動表示パネルであって、前記帯電粒子として第一色の第一帯電粒子と、前記第一色とは異なる色で且つ前記第一帯電粒子とは極性の異なる第二帯電粒子とを備え、前記突出部の色が第一色と第二色との中間色であることを特徴とする。
【００３６】
また、請求項１１記載の電気泳動表示パネルは、請求項１から請求項８のいずれかに記載の電気泳動表示パネルであって、前記帯電粒子として第一色の帯電粒子と、前記分散媒として第二色の分散媒とを備え、前記突出部の色が第一色又は第二色であることを特徴とする。
【００３７】
また、請求項１２記載の電気泳動表示パネルは、請求項１から請求項８のいずれかに記載の電気泳動表示パネルであって、前記帯電粒子として第一色の帯電粒子と、前記分散媒として第二色の分散媒とを備え、前記突出部の色が第一色と第二色との中間色であることを特徴とする。
【００３８】
また、請求項１３記載の電気泳動表示パネルは、請求項１から請求項１２のいずれかに記載の電気泳動表示パネルであって、前記隔壁の前記上部基板側の端部に、前記上部基板と垂直に交わる垂直面を備えたことを特徴とする。
【発明の効果】
【００３９】
請求項１記載の電気泳動表示パネルによれば、前記セルの外周に生じる前記帯電粒子と前記隔壁との間の隙間が前記突出部により埋められるので、表示面に第一色を表示させる場合と、表示面に第二色を表示させる場合とで、色の違いをはっきりと出すことができる。
【００４０】
また、請求項２記載の電気泳動表示パネルによれば、請求項１記載の電気泳動表示パネルが奏する効果に加え、前記帯電粒子が最密の状態で前記上部基板側に付着した際に、前記帯電粒子と前記隔壁との間に生じる周期的な隙間が、前記突出部により埋められるので、表示面に第一色を表示させる場合と、表示面に第二色を表示させる場合とで、色の違いをはっきりと出すことができる。
【００４１】
また、請求項３記載の電気泳動表示パネルによれば、請求項２記載の電気泳動表示パネルが奏する効果に加え、前記帯電粒子が最密の状態で上部基板側に付着し、且つ、前記帯電粒子が前記第一方向に直線上に並んだときに、前記隔壁と前記帯電粒子との間に生じる隙間が前記突出部により埋められるので、表示面に第一色を表示させる場合と、表示面に第二色を表示させる場合とで、色の違いをはっきりと出すことができる。
【００４２】
また、請求項４記載の電気泳動表示パネルによれば、請求項２記載の電気泳動表示パネルが奏する効果に加え、前記帯電粒子が最密の状態で上部基板側に付着し、且つ、前記帯電粒子が前記長手方向に直線上に並んだときに、前記隔壁と前記帯電粒子との間に生じる隙間が前記突出部により埋められるので、表示面に第一色を表示させる場合と、表示面に第二色を表示させる場合とで、色の違いをはっきりと出すことができる。
【００４３】
また、請求項５記載の電気泳動表示パネルによれば、請求項２記載の電気泳動表示パネルが奏する効果に加え、前記第一隔壁と前記帯電粒子との間に生じる隙間、及び、前記第二隔壁と前記帯電粒子との間に生じる隙間の両方が、前記突出部により埋められるので、表示面に第一色を表示させる場合と、表示面に第二色を表示させる場合とで、色の違いをはっきりと出すことができる。
【００４４】
また、請求項６記載の電気泳動表示パネルによれば、請求項１から請求項５のいずれかに記載の電気泳動表示パネルが奏する効果に加え、前記柱状の突出部の最大突出距離がＤ／２以下であるので、前記突出部が妨げにならずに、前記帯電粒子が前記上部基板側に最密の状態で並ぶことができる。
【００４５】
また、請求項７記載の電気泳動表示パネルによれば、請求項６記載の電気泳動表示パネルが奏する効果に加え、前記基部の形状及び前記突出部の形状が簡単な形状であるので、前記隔壁の製造が容易である。
【００４６】
また、請求項８記載の電気泳動表示パネルによれば、請求項６記載の電気泳動表示パネルが奏する効果に加え、前記隔壁が外力を受けたとしても破壊しない強度を保ちつつ、開口率を上げることができる。
【００４７】
また、請求項９記載の電気泳動表示パネルによれば、請求項１から請求項８のいずれかに記載の電気泳動表示パネルが奏する効果に加え、前記突出部の色が第一色又は第二色のいずれかであるので、表示面に第一色を表示させる場合と、表示面に第二色を表示させる場合とで、色の違いをよりはっきりと出すことができる。
【００４８】
また、請求項１０記載の電気泳動表示パネルによれば、請求項１から請求項８のいずれかに記載の電気泳動表示パネルが奏する効果に加え、前記突出部の色が第一色と第二色との中間色であるので、表示面に第一色を表示させる場合と、表示面に第二色を表示させる場合とで、色の違いをよりはっきりと出すことができる。
【００４９】
また、請求項１１記載の電気泳動表示パネルによれば、請求項１から請求項８のいずれかに記載の電気泳動表示パネルが奏する効果に加え、前記突出部の色が第一色又は第二色のいずれかであるので、表示面に第一色を表示させる場合と、表示面に第二色を表示させる場合とで、色の違いをよりはっきりと出すことができる。
【００５０】
また、請求項１２記載の電気泳動表示パネルによれば、請求項１から請求項８のいずれかに記載の電気泳動表示パネルが奏する効果に加え、前記突出部の色が第一色と第二色との中間色であるので、表示面に第一色を表示させる場合と、表示面に第二色を表示させる場合とで、色の違いをよりはっきりと出すことができる。
【００５１】
また、請求項１３記載の電気泳動表示パネルによれば、請求項１から請求項１２のいずれかに記載の電気泳動表示パネルが奏する効果に加え、前記隔壁の前記上部基板側の端部に垂直面を備えるので、開口率を上げることができる。
【発明を実施するための最良の形態】
【００５２】
以下、本発明の第一実施形態について図面を参照して説明する。図１は、本発明の電気泳動表示パネル１００の正面図である。電気泳動表示パネル１００は上から見たときに矩形であり、４つの側面を有する直方体の形状をしている。正面からみたときに、この４つの側面を反時計回りに側面１、側面２、側面３、側面４とすると、電気泳動表示パネル１００の上に側面１が位置し、電気泳動表示パネル１００の下に側面３が位置する。また、電気泳動表示パネル１００の左に側面２が位置し、電気泳動表示パネル１００の右に側面４が位置する。このように電気泳動表示パネル１００の上下方向及び左右方向が決められている。
【００５３】
図２は、図１に示すＡ−Ａ線における電気泳動表示パネル１００の矢視方向の断面図である。図２に示すように、電気泳動表示パネル１００は透明な上部基板１１０と、上部基板１１０に対向して配置された下部基板１２０とを備える。上部基板１１０及び下部基板１２０は共に透明なＰＥＴ（ポリエチレンテレフタレート）で形成されている。
【００５４】
上部基板１１０は、下部基板１２０との対向面に共通電極１１１を備える。共通電極１１１は、電気泳動表示パネル１００の全ての画素に対して共通に形成されている。共通電極１１１は透明なＩＴＯ（酸化インジウムスズ）で形成されている。
【００５５】
また、上部基板１１０は、共通電極１１１の表面全体を覆うように形成された保護膜１１２を備える。保護膜１１２は含フッ素化合物で形成されている。保護膜１１２は共通電極１１１が後述の分散媒１４３により侵食されることを防止する。
【００５６】
下部基板１２０は、上部基板１１０との対向面に複数の画素電極１２１を備える。画素毎に１つの画素電極１２１が存在する。尚、図２では左から順に画素電極１２１Ａ、画素電極１２１Ｂ、画素電極１２１Ｃ、画素電極１２１Ｄ、画素電極１２１Ｅが並んで形成されているものとする。画素電極１２１は金属（例えば、Ａｕ）により形成されている。
【００５７】
また、下部基板１２０は、全ての画素電極１２１の表面を覆うように形成された保護膜１２２を備える。保護膜１２２は、画素電極１２１が後述の分散媒１４３により侵食されることを防止する。尚、保護膜１２２は、保護膜１１２同様、含フッ素化合物で形成されている。
【００５８】
また、下部基板１２０には画素電極１２１毎に図示しないＴＦＴスイッチが設けられており、このＴＦＴスイッチの「ＯＮ」、「ＯＦＦ」により、各画素電極１２１へ印加される電圧の「ＯＮ」、「ＯＦＦ」が制御される。
【００５９】
上部基板１１０と下部基板１２０との間には隔壁部材１５０が配置される。この隔壁部材１５０により、上部基板１１０と下部基板１２０との基板間は、複数のセル１４０に区画される。図２中においてセル１４０として、左から順にセル１４０Ａ、セル１４０Ｂ、セル１４０Ｃ、セル１４０Ｄ、セル１４０Ｅが並んで配置している。隔壁部材１５０の詳細については後述する。
【００６０】
本実施形態では、一つの画素電極１２１と一つのセル１４０とが対応するように設けられているものとする。即ち、セル１４０Ａに対して画素電極１２１Ａ、セル１４０Ｂに対して画素電極１２１Ｂ、セル１４０Ｃに対して画素電極１２１Ｃ、セル１４０Ｄに対して画素電極１２１Ｄ、セル１４０Ｅに対して画素電極１２１Ｅがそれぞれ配置されている。
【００６１】
隔壁部材１５０は、上部基板１１０と下部基板１２０との間隔を一定に保つためのスペーサとしても機能する。隔壁部材１５０は共通電極１１１及び保護膜１１２が形成された上部基板１１０上にフォトリソグラフィーにより高さを一定にして形成される。本実施形態では、隔壁部材１５０をフォトリソグラフィーで形成するものとして説明するが、隔壁部材１５０の製造方法としては、他に印刷法やインプリント法等が存在する。
【００６２】
各セル１４０の内部には分散媒１４３が充填されている。負に帯電した白粒子１４１と、正に帯電した黒粒子１４２とを分散媒１４３は分散して保持している。分散媒１４３は無色透明のパラフィンを用いる。分散媒としては、ノルマルパラフィン、イソパラフィン等のパラフィンや、ハロゲン化炭化水素、シリコンオイル等が使用できる。粒子の着色剤としては、酸化チタン等の無機顔料やカーボンブラック、フタロシアニン系顔料等の有機顔料やアゾ染料、キノリン系染料等の染料を用いることができ、このような着色剤を樹脂で被覆したり、樹脂粒子をこのような着色剤で着色して用いることができる。尚、白粒子１４１及び黒粒子１４２の平均粒子径をＤとする。
【００６３】
ここで、この電気泳動表示パネル１００の動作について説明する。共通電極１１１は図示しないグランドと接続されている。画素電極１２１には＋５０Ｖ、若しくは、−５０Ｖのいずれかの電圧が印加される。
【００６４】
画素電極１２１に−５０Ｖの電圧が印加された場合、マイナス（負）に帯電している白粒子１４１は上部基板１１０側に移動し、上部基板１１０側に白粒子１４１が付着する。そして、プラス（正）に帯電している黒粒子１４２は下部基板１２０側に移動して、下部基板１２０側に黒粒子１４２が付着する。このとき、上部基板１１０側には白粒子１４１が付着しているため、上部基板１１０側には白粒子１４１の色である白色が表示される。
【００６５】
画素電極１２１に＋５０Ｖの電圧が印加された場合、マイナスに帯電している白粒子１４１は下部基板１２０側に移動し、下部基板１２０側に白粒子１４１が付着する。そして、プラスに帯電している黒粒子１４２は上部基板１１０側に移動して、上部基板１１０側に黒粒子１４２が付着する。このとき、上部基板１１０側に黒粒子１４２が付着しているので、上部基板１１０側には黒粒子１４２の色である黒色が表示される。
【００６６】
このように画素電極１２１毎に印加する電圧を＋５０Ｖと−５０Ｖとで変化させることにより、上部基板１１０側に表示させる色を画素毎に制御することができる。
【００６７】
尚、白粒子１４１及び黒粒子１４２は、上部基板１１０側に一度付着すると、画素電極１２１に印加している電圧を切ったとしても、上部基板１１０側に付着した状態が維持されるメモリ効果を有することが知られている。このように、電気泳動表示パネル１００は画像の書き込みを行なう際にのみ電力を必要とするが、画像の表示中は電力を必要としない。このため、液晶表示パネル等に比べ消費電力を抑えることが可能である。
【００６８】
図２において、セル１４０Ａ、セル１４０Ｂ、セル１４０Ｃ、及び、セル１４０Ｅは、白粒子１４１が上部基板１１０側に付着した例を示している。したがってセル１４０Ａ、セル１４０Ｂ、セル１４０Ｃ、及び、セル１４０Ｅに対応した画素には白色が表示される。
【００６９】
また、図２において、セル１４０Ｄは、黒粒子１４２が上部基板１１０側に付着した例を示している。したがってセル１４０Ｄに対応した画素には黒色が表示される。
【００７０】
尚、図２は説明を簡単にするためにパネルの断面図を模式的に描画したが、実際には、多くのセル１４０や画素電極１２１が形成される。
【００７１】
次に本実施形態の隔壁部材１５０についてより詳細に説明する。図３に上部基板１１０側から見たときの隔壁部材１５０の正面図を示す。隔壁部材１５０は上部基板側から見たときに格子状の形状をしている。隔壁部材１５０は白粒子１４１の色と黒粒子１４２の色との中間色であるグレーに着色されている。尚、図３では、説明を簡単にするためにセル１４０の数を省略して記載したが、実際にはもっと多くのセル１４０が形成されるのが一般的である。
【００７２】
隔壁部材１５０は、上部基板１１０側から見たときに長手方向を電気泳動表示パネル１００の上下方向にして形成された隔壁１５１Ｖと、上部基板１１０側から見たときに長手方向を電気泳動表示パネル１００の左右方向にして形成された隔壁１５１Ｓとを備える。また、隔壁部材１５０は、隔壁１５１Ｖと隔壁１５１Ｓとを連結する連結部１５５を備える。尚、隔壁１５１Ｖと隔壁１５１Ｓとをまとめて隔壁１５１と称す。
【００７３】
２つの隔壁１５１Ｖと、２つの隔壁１５１Ｓとの、計４つの隔壁１５１により一つのセル１４０は区画される。
【００７４】
上部基板１１０側から見たときの隔壁１５１は略長方形の形状であり、連結部１５５はこの長方形の短辺同士を連結する。連結部１５５は上下方向に隣り合う２つの隔壁１５１Ｖと、左右方向に隣り合う２つの隔壁１５１Ｓとを連結する。
【００７５】
図４に隔壁１５１Ｖの拡大図を示す。図４に示すように隔壁１５１Ｖは、隔壁１５１Ｖの長手方向に伸びる基部１５３と、基部１５３からセル１４０側に突出した突出部１５２を備える。突出部１５２は、隔壁１５１Ｖの長手方向と垂直な方向に、基部１５３からセル１４０側へ突出している。基部１５３は、底面を長方形とする四角柱形状であり、上部基板１１０から下部基板１２０へ渡って形成されている。
【００７６】
隔壁１５１Ｖの長手方向に（√３）Ｄの間隔で周期的に複数の突出部１５２が形成されている（Ｄは、白粒子１４１及び黒粒子１４２の平均粒子径）。ここでいう間隔は、突出部１５２の中心から隣の突出部１５２の中心までの距離をいう。尚、図４では、説明を簡単にするためにセル１４０の大きさを小さくして、突出部１５２の数を省略して描画したが、実際にはもっと多くの突出部１５２が一つの隔壁１５１Ｖには形成される。
【００７７】
セル１４０の上下方向の幅（上下方向に隣り合う隔壁１５１Ｓの側面間の距離）は（（ｍ（√３）／２）+１）Ｄ、セル１４０の左右方向の幅（左右方向に隣り合う隔壁１５１Ｖにおける基部１５３の側面間の距離）はｎＤである。尚、ｍ、ｎは整数とする。
【００７８】
図５に図４にしめすＢ−Ｂ線の矢視方向断面図を示す。図４及び図５に示すように突出部１５２は、三角柱状の形状に形成されている。三角柱の底面の形状は、基部１５３側に有する（√２）Ｄの底辺と、その底辺から高さＤ／２の位置に頂点を有する二等辺三角形である。
【００７９】
後述するが、この突出部１５２により、白粒子１４１（若しくは黒粒子１４２）と基部１５３との間に生じる隙間が埋められるので、表示面に表示させる色を切り替える前と切り替えた後で、白色と黒色との色の違いをはっきりと出すことができる。
【００８０】
図６は、電気泳動表示パネル１００におけるセル１４０の拡大図であり、白粒子１４１が最密に並んだ状態で上部基板１１０側に付着して白色を表示している状態を示したものである。ここで、最密に並んだ状態とは、粒子間に存在する隙間が最小になるように同一平面状に複数の粒子が規則的に並んだ状態のことである。最密に並んだ状態では、隣り合う３つの粒子の中心を直線で結ぶと正三角形が形成される。
【００８１】
本実施形態では、セル１４０の上下方向の幅を（（ｍ（√３）／２）+１）Ｄ、左右方向の幅をｎＤとしたので、左右方向にｎ個の白粒子１４１が直線上に並んだ列と、左右方向に（ｎ-１）個の白粒子１４１が並んだ列とが、交互になって（ｍ＋１）行並んでいる（図６の例では、５個の列と４個の列が交互になって５行並んでいる）。
【００８２】
図７に示すように、ｎ個の白粒子１４１からなる列に存在する任意の白粒子１４１Ｘの中心を点Ｘとし、白粒子１４１Ｘが存在する列より１つ下の（ｎ-１）個の白粒子１４１からなる列に存在する白粒子１４１であって、白粒子１４１Ｘと接する２つの白粒子１４１Ｙ、１４１Ｚの中心を点Ｙ及び点Ｚとする。そして、線分ＹＺに対して点Ｘから垂線を引いたときの交点をＷとする。
【００８３】
径の等しい３つの粒子の中心Ｘ、Ｙ、Ｚを結んだ三角形ＸＹＺは正三角形となるので、∠ＸＺＷは６０°となる。線分ＷＺは粒子の半径Ｄ／２と等しく、線分ＸＺは粒子の径Ｄと等しいので、余弦定理より線分ＸＷの長さ（（√３）／２）Ｄが求められる。
【００８４】
即ち、ｎ個の白粒子１４１からなる列と、（ｎ−１）個の白粒子１４１からなる列とは上下方向に（（√３）／２）Ｄの周期で繰り返されている。また、（ｎ−１）個の白粒子１４１からなる列同士の周期は（√３）Ｄとなる。この（ｎ−１）個の白粒子１４１からなる列同士の周期と等しくなるように、突出部１５２は（√３）Ｄの間隔で周期的に形成されている。尚、これら複数の突出部１５２のうち最も端に存在する突出部１５２は、隔壁１５１Ｓの側面から（（（√３）＋１）／２）Ｄだけ離れた位置を中心として形成されている。
【００８５】
また、これとは別に図８を参照して、突出部１５２の形状についてより詳細に説明する。ここで、（ｎ−１）個の白粒子１４１からなる列の最も左側の白粒子１４１の１つを白粒子１４１Ａとする。白粒子１４１Ａの下の列に存在し、白粒子１４１Ａと基部１５３との両方に接する白粒子１４１を白粒子１４１Ｂとする。白粒子１４１Ａの上の列に存在し、白粒子１４１Ａと基部１５３との両方に接する白粒子１４１を白粒子１４１Ｃとする。
【００８６】
白粒子１４１Ｂと基部１５３との接点を点Ｂとし、白粒子１４１Ｃと基部１５３との接点を点Ｃとする。白粒子１４１Ａの中心を点Ｐとし、白粒子１４１Ｂの中心を点Ｏとする。直線ＢＣに対して点Ｐから垂線をひいたときの交点を点Ｓとする。直線ＰＳと白粒子１４１Ａの表面との交点を点Ｑとする。
【００８７】
点Ｑから直線ＢＣと交わり、且つ、白粒子１４１Ｂの表面と接するように直線をひいたとき、この直線と直線ＢＣとの交点を点Ｔとする。直線ＱＴと白粒子１４１Ｂの表面との接点を点Ｕとする。
【００８８】
点Ｑから直線ＢＣと交わり、且つ、白粒子１４１Ｃの表面と接するように直線をひいたとき、この直線と直線ＢＣとの交点を点Ｒとする。
【００８９】
このとき、線分ＯＰの長さはＤであり、線分ＰＱの長さはＤ／２である。また∠ＯＱＰは直角であるので、余弦定理より直線ＯＱの長さは（（√３）／２）Ｄとなる。
【００９０】
また、線分ＯＵの長さは白粒子１４１Ｂの半径と等しいのでＤ／２である。∠ＯＵＱは直角であるので、余弦定理より線分ＱＵの長さは（（√２）／２）Ｄとなる。
【００９１】
ここで、線分ＴＳと線分ＯＱとは平行であるため、∠ＯＱＵと∠ＱＴＳとは等しい。∠ＯＵＱと∠ＱＳＴは直角であり等しい。
【００９２】
ゆえに、三角形ＱＯＵと三角形ＴＱＳとは、一辺とその両端の角度がそれぞれ等しいので合同な三角形である。辺ＱＵと辺ＴＳとは対応するので、線分ＴＳの長さは線分ＱＵの長さと同じ（（√２）／２）Ｄとなる。線分ＴＲの長さは、線分ＴＳの長さの２倍であるので、（√２）Ｄとなる。三角形ＱＲＴは底辺ＲＴの長さが（√２）Ｄであり、高さがＤ／２の二等辺三角形である。
【００９３】
三角柱状の突出部１５２の底面は、三角形ＱＲＴと同じ形状をしている。尚、突出部の底面の二等辺三角形の高さはＤ／２である。従って、前記突出部が妨げにならずに、白粒子１４１は上部基板１１０に最密の状態で並ぶことができる。
【００９４】
次に本発明の第一実施形態である電気泳動表示パネル１００での表示と、従来の電気泳動表示パネル１１００での表示の違いについて説明する。図９に、白粒子１４１と隔壁１５１との間の隙間１６０を斜線の領域で示す。尚、隔壁１５１Ｖと白粒子１４１との間に生じる隙間を隙間１６１とする。また、隔壁１５１Ｓと白粒子１４１との間に生じる隙間を隙間１６２とする。また、セル１４０の四隅に生じる隙間を隙間１６３とする。これらの隙間１６１〜１６３を総称して隙間１６０と称す。
【００９５】
ここで本発明の第一実施形態の電気泳動表示パネル１００で生じる隙間１６０と、図２３に示した従来の電気泳動表示パネル１１００で生じる隙間１１６０とを比較する。
【００９６】
隙間１６２（図９参照）と隙間１１６２（図２３参照）とは同程度の大きさである。また、隙間１６３（図９参照）と隙間１１６３（図２３参照）とは同程度の大きさである。しかしながら、隙間１６１（図９参照）と隙間１１６１（図２３参照）とを比べると、電気泳動表示パネル１００の隔壁１５１Ｖは突出部１５２を備えているので、隙間１１６１よりも隙間１６１の方が狭くなっている。
【００９７】
即ち、突出部１５２が突出した分だけ白粒子１４１の奥に存在する黒粒子１４２が見える領域が、従来の電気泳動表示パネル１１００よりも小さくなっている。このため、電気泳動表示パネル１００で白色を表示させた場合、従来の電気泳動表示パネル１１００よりも白い色を表示することができる。
【００９８】
ここでは、電気泳動表示パネル１００で白色を表示した場合を例に挙げて説明したが、これとは逆に電気泳動表示パネル１００で黒色を表示した場合も同様に、従来の電気泳動表示パネル１１００よりもより黒い色を表示することができる。
【００９９】
従って表示する色を黒から白若しくは白から黒に切り替えた場合、切り替える前と切り替えた後とで色の違いをはっきり出すことができる。
【０１００】
第二実施形態の電気泳動表示パネル２００について説明する。尚、第一実施形態の電気泳動表示パネル１００と同じ構成については同じ番号を付して説明する。第一実施形態の電気泳動表示パネル１００は、セル１４０内に白粒子１４１と黒粒子１４２の２種類の帯電粒子と、無色透明の分散媒１４３が封入されていたが、電気泳動表示パネル２００は、セル１４０内には白粒子１４１と黒色に着色された分散媒２４３が封入されている。電気泳動表示パネル２００のその他の構成は電気泳動表示パネル１００と同じである。尚、第二実施形態の隔壁部材１５０も第一実施形態の隔壁部材１５０と同じ形状である。
【０１０１】
図１０は、電気泳動表示パネル２００の断面図である。ここで図１０を参照し、この電気泳動表示パネル２００の動作について説明する。共通電極１１１は図示しないグランドと接続されており、共通電極１１１は常に０Ｖと設定されている。画素電極１２１には＋５０Ｖ、若しくは、−５０Ｖのいずれかの電圧が印加される。
【０１０２】
画素電極１２１に−５０Ｖの電圧が印加された場合、マイナス（負）に帯電している白粒子１４１は上部基板１１０側に移動し、上部基板１１０側に白粒子１４１が付着する。このとき、上部基板１１０側には白粒子１４１が付着しているため、上部基板１１０側には白粒子１４１の色である白色が表示される。
【０１０３】
画素電極１２１に＋５０Ｖの電圧が印加された場合、マイナスに帯電している白粒子１４１は下部基板１２０側に移動し、下部基板１２０側に白粒子１４１が付着する。このとき、上部基板１１０側には白粒子１４１が存在しないので、上部基板１１０側には分散媒２４３の色である黒色が表示される。
【０１０４】
このように画素電極１２１毎に印加する電圧を＋５０Ｖと−５０Ｖとで変化させることにより、上部基板１１０側に表示させる色を画素毎に制御することができる。
【０１０５】
図１０において、セル１４０Ａ、セル１４０Ｂ、セル１４０Ｃ、及び、セル１４０Ｅは、白粒子１４１が上部基板１１０側に付着した例を示している。したがってセル１４０Ａ、セル１４０Ｂ、セル１４０Ｃ、及び、セル１４０Ｅに対応した画素には白色が表示される。
【０１０６】
また、図１０において、セル１４０Ｄは、白粒子１４１が下部基板１２０側に付着した例を示している。したがってセル１４０Ｄに対応した画素には黒色が表示される。
【０１０７】
図１１は、電気泳動表示パネル２００におけるセル１４０の拡大図である。図１１では、白色を表示させたときの例を示してある。
【０１０８】
図１１において、電気泳動表示パネル２００は、白粒子１４１が最密に並んだ状態で上部基板１１０側に付着して白色を表示している。
【０１０９】
次に本発明の第二実施形態である電気泳動表示パネル２００での表示と、従来の電気泳動表示パネル１２００での表示の違いについて説明する。本発明の第二実施形態の電気泳動表示パネル２００で生じる隙間１６０も、図９に示した第一実施形態の電気泳動表示パネル１００で生じる隙間１６０と同じである。
【０１１０】
従って、図２３に示した従来の電気泳動表示パネル１２００で生じる隙間１１６０と比較すれば、明らかであるが、突出部１５２が突出した分だけ白粒子１４１の奥に存在する分散媒２４３が見える領域が、従来の電気泳動表示パネル１２００よりも小さくなっている。このため、電気泳動表示パネル２００で白色を表示させた場合、従来の電気泳動表示パネル１２００よりも白い色を表示することができる。
【０１１１】
したがって、第二実施形態の電気泳動表示パネル２００も第一実施形態の電気泳動表示パネル１００と同様に、表示させる色を切り替えた場合に色の違いをはっきり出すことができる。
【０１１２】
第三実施形態の電気泳動表示パネル３００について説明する。尚、第一実施形態の電気泳動表示パネル１００と同じ構成については同じ番号を付して説明する。第一実施形態の電気泳動表示パネル１００と異なる点は第三実施形態の電気泳動表示パネル３００は隔壁１５１Ｓにも突出部を備えていることである。その他の構成は電気泳動表示パネル１００と同じであるので説明を省略する。
【０１１３】
図１２は、電気泳動表示パネル３００におけるセル１４０の拡大図である。図１２では、白色を表示させたときの例を示してある。図１２において、電気泳動表示パネル３００は、白粒子１４１が最密に並んだ状態で上部基板１１０側に付着して白色を表示している。
【０１１４】
図１２に示すように第三実施形態の隔壁１５１Ｓは、隔壁１５１Ｓの長手方向に伸びる基部１５７と、基部１５７からセル１４０側に突出した突出部１５６を備える。突出部１５６は、隔壁１５１Ｓの長手方向と垂直な方向に、基部１５７からセル１４０側へ突出している。
【０１１５】
突出部１５６は、隔壁１５１Ｓの長手方向にＤの間隔で周期的に複数形成されている（Ｄは、白粒子１４１及び黒粒子１４２の平均粒子径）。尚、図１２では、説明を簡単にするためにセル１４０の大きさを小さくして、突出部１５６の数を省略して描画したが、実際にはもっと多くの突出部１５６が一つの隔壁１５１Ｓには形成される。
【０１１６】
隔壁１５１Ｖにおける突出部１５２と同様に、突出部１５６は、三角柱状の形状で上部基板１１０側から下部基板１２０側に渡って形成されている。
【０１１７】
第三実施形態では、突出部１５２に加え更に突出部１５６を備えているので、隔壁１５１Ｖと白粒子１４１（若しくは黒粒子１４２）との間に生じる隙間に加え更に隔壁１５１Ｓと白粒子１４１（若しくは黒粒子１４２）との間に生じる隙間が埋められる。このため、表示させる色を切り替える前と切り替えた後で白色と黒色との色の違いを、第一実施形態の電気泳動表示パネル１００よりもはっきりと出すことができる。
【０１１８】
第四実施形態の電気泳動表示パネル４００について説明する。隔壁１５１Ｖの代わりに、上部基板１１０側から見たときに波形状の隔壁４５１Ｖを備えるところが、第一実施形態の電気泳動表示パネル１００と異なる。
【０１１９】
図１３は、電気泳動表示パネル４００におけるセル１４０の拡大図である。図１３では、白色を表示させたときの例を示してある。尚、ここでは、隔壁４５１Ｖを挟んで左側のセル１４０をセル１４０Ａとし、右側のセル１４０をセル１４０Ｂとする。
【０１２０】
隔壁４５１Ｖは上部基板１１０側からみたときに、隔壁４５１Ｖの長手方向において（（√３）／２）Ｄの間隔でセル１４０Ａへの突出部４５２とセル１４０Ｂへの突出部４５２とを交互に繰返し配列した波形状である。
【０１２１】
尚、上部基板１１０側から見たときに、隔壁４５１Ｖの側面で凹部の頂点同士を結んだ直線を直線Ｂとする。第四実施形態では、この直線Ｂから、セル１４０側に位置する部分を突出部４５２とする。
【０１２２】
尚、電気泳動表示パネルに用いる隔壁の最短距離の幅は、外部からの圧力等が加えられたとしても隔壁が破壊しない強度を有する幅にしなければならないという制限がある。この制限を満たす最も狭い幅を幅ａとするとき、第一実施形態の隔壁１５１Ｖの場合は、基部１５３の幅を、幅ａより短くすることができない。これに対して、隔壁４５１Ｖのように波形状であれば、色の表示として使われることのない領域（一つの隔壁４５１Ｖにおいて、２本の直線Ｂをひくことができるが、この２本の直線Ｂで挟まれる領域）を第一実施形態の場合よりも狭くすることができ、開口率を上げることができる。
【０１２３】
以上、本発明の実施の形態のうちのいくつかを図面に基づいて詳細に説明したが、これらは例示であり、当業者の知識に基づいて種々の変形、改良を施した他の形態で本発明を実施することが可能である。
【０１２４】
上述の第一実施形態から第四実施形態では、隔壁部材１５０の色が白色と黒色との中間色であるグレーであるものとして説明したが、隔壁部材１５０の色は何色であってもかまわない。
【０１２５】
例えば、第一実施形態の隔壁部材１５０の色を黒粒子１４２の色と同じ黒色にした場合を例に挙げて説明する。
【０１２６】
図１４に隔壁部材１１５０の色が黒色である従来の電気泳動表示パネル１１００におけるセル１１４０の拡大図を示す。図１４では隔壁部材１１５０が黒色の電気泳動表示パネル１１００で白色を表示させた場合と、黒色を表示させた場合とを並べて示してある。
【０１２７】
これに対して図１５に隔壁部材１５０の色が黒色である電気泳動表示パネル１００におけるセル１４０の拡大図を示す。図１５では隔壁部材１５０が黒色の電気泳動表示パネル１００で白色を表示させた場合と、黒色を表示させた場合とを並べて示してある。
【０１２８】
従来の電気泳動表示パネル１１００で白色を表示させた場合は、白粒子１１４１の奥に存在する黒粒子１１４２が、セル１１４０の外周に生じる隙間から見えてしまう。また、同様に従来の電気泳動表示パネル１１００で黒色を表示させた場合は、黒粒子１１４２の奥に存在する白粒子１１４１が、セル１１４０の外周に生じる隙間から見えてしまう。このため、従来の電気泳動表示パネル１１００では、少し黒味がかった白色と、少し白味がかった黒色しか表示することができず、表示の色を切り替えたときにコントラストの差をはっきりと出すことはできない。
【０１２９】
これに対して、電気泳動表示パネル１００で白色を表示させた場合は、白粒子１４１の奥に存在する黒粒子１４２が見えることはないが、黒色の突出部１５２を備えるので少し黒味がかった白色が表示される。しかしながら、電気泳動表示パネル１００で黒色を表示させた場合は、黒粒子１４２の奥に存在する白粒子１４１が見えることがなく、突出部１５２の色も黒色なので、従来の電気泳動表示パネル１１００よりも黒い黒色を表示することが可能である。このため、表示の色を切り替えたときに、従来の電気泳動表示パネル１１００よりも、はっきりと色の違いを出すことができる。
【０１３０】
また、これとは逆に隔壁部材１５０の色を、白粒子１４１の色と同じ白色にしても、同様に表示の色を切り替えたときに、従来の電気泳動表示パネル１１００よりもはっきりと色の違いを出すことができる。
【０１３１】
また、第二実施形態の電気泳動表示パネル２００の隔壁部材１５０の色を、白粒子１４１の色か、分散媒２４３の色かのどちらかにしても、同様に、従来の電気泳動表示パネル１２００よりはっきりと色の違いをだすことができる。
【０１３２】
また、第一実施形態から第四実施形態において、隔壁部材１５０全体の色がグレーであるとして説明したが、少なくともセル１４０に突出した突出部１５２、１５６、４５２のみをグレーにしてもよい。
【０１３３】
また、第一実施形態では、セル１４０の上下方向の幅を（（ｍ（√３）／２）+１）Ｄ、左右方向の幅をｎＤとしたので、左右方向にｎ個の白粒子１４１が直線上に並んだ列と、左右方向に（ｎ-１）個の白粒子１４１が並んだ列とが、交互になって（ｍ＋１）行並んでいるものとして説明したが、セル１４０の上下方向の幅や、セル１４０の左右方向の幅に少し余裕を持たせた隔壁部材１５０を用いてもよい。
【０１３４】
また、第一実施形態では、突出部１５２の形状が三角柱状の形状であり、その底面の形状が、基部１５３側に有する（√２）Ｄの底辺とその底辺から高さＤ／２の位置に頂点を有する二等辺三角形であるものとして説明したが、突出部１５２の形状をその他の形状にしてもよい。
【０１３５】
例えば図１６に示すように、突出部を底面が四角形の四角柱状の突出部５５２にしてもよいし、図１７に示すように、第一実施形態の二等辺三角形の面積よりも小さい面積の三角形を底面とする三角柱状の突出部６５２にしてもよい。また、図示しないが、底面が半円状の柱状の突出部としてもよい。
【０１３６】
また、第一実施形態のように、三角柱状の突出部１５２が上部基板１１０側から下部基板１２０側へ渡って全体に形成されている必要はなく、図１８に示すように、高さが上部基板１１０から下部基板１２０までの距離に満たない三角柱状の突出部７５２を、上部基板１１０側に設けてもよい。
【０１３７】
また、セル１４０の全周に渡って、断面形状がテーパ状の突出部８５２、８５６を形成してもよい。尚、突出部８５２は隔壁１５１Ｖに形成され、突出部８５６は隔壁１５１Ｓに形成される。この場合の隔壁部材１５０の断面図を図１９、図２０に示し、上部基板１１０（図示外）側から見たときの正面図を図２１に示す。
【０１３８】
図１９に示したように、突出部８５２及び突出部８５６を隔壁１５１Ｖ及び隔壁１５１Ｓの上部基板１１０側の端部に形成してもよいし、図２０に示したように、突出部８５２及び突出部８５６を隔壁１５１Ｖ及び隔壁１５１Ｓの中央付近に形成してもよい。但し、図１９のように突出部８５２、８５６を、隔壁１５１Ｖ、１５１Ｓの上部基板１１０側の端部に形成した場合、突出部８５２、８５６が障害となり、上部基板１１０側に多くの帯電粒子が付着することが妨げられる。これに対して、図２０のように突出部８５２、８５６を隔壁１５１Ｖ、１５１Ｓの中央付近に形成した場合、隔壁１５１Ｖ、１５１Ｓの上部基板１１０側の端部は上部基板１１０に対して垂直な垂直面を有しているので、付着する帯電粒子の数を多くすることができる。尚、図２０のように各隔壁の中央付近に突出部を設ける場合は、その突出部の断面形状をテーパ状にする必要はなく、半円形状や矩形、その他のどのような形状をしていてもよい。
【０１３９】
第一実施形態の突出部１５２や図１８に示した突出部７５２が周期的に形成されていると、これらの突出部１５２又は突出部７５２がガイドとして機能するため、上部基板１１０側に粒子が移動した際に、最密の状態に並び易いといったメリットがある。
【０１４０】
また、上述の第一実施形態では、突出部１５２は柱状であるものとして説明したが、突出部は柱状でなくともよく、どのような形状をしていてもよい。
【０１４１】
また、上述の第一実施形態では、突出部１５２が隔壁１５１Ｖの長手方向において、（√３）Ｄの間隔で周期的に形成されているものとして説明したが、本発明は、隔壁１５１Ｖの長手方向の全体にわたって周期的に形成されている必要はなく、一部分のみ周期的に形成されていてもよい。
【０１４２】
また、上述の第一実施形態では、白粒子１４１の径と黒粒子１４２の径とは同じであるものとして説明したが、白粒子１４１と黒粒子１４２とで径が異なる場合は、大きい粒子の径に合わせて、隔壁部材１５０を形成すればよい。
【０１４３】
また、本発明は上述の隔壁部材の形状に限られるものではなく、様々な変形例が考えられる。例えば、隔壁部材は表示面から見たときに、独立した菱形状の柱が並んだ構造でもよい。
【０１４４】
また、上述の第一実施形態ではフォトリソグラフィー等の手法で突出部１５２を備えた隔壁部材１５０を形成するものとして説明したが、突出部１５２を有さない格子状の隔壁部材を予め作成し、その後、突出部１５２が形成するようにこの隔壁部材の所定の位置を切削して作成してもよい。
【図面の簡単な説明】
【０１４５】
【図１】電気泳動表示パネル１００の正面図。
【図２】図１に示すＡ−Ａ線における電気泳動表示パネル１００の矢視方向の断面図。
【図３】上部基板１１０側から見たときの隔壁部材１５０の正面図。
【図４】隔壁１５１Ｖの拡大図。
【図５】図４にしめすＢ−Ｂ線の矢視方向断面図。
【図６】電気泳動表示パネル１００におけるセル１４０の拡大図。
【図７】突出部１５２の（√３）Ｄの間隔を説明する説明図。
【図８】突出部１５２の形状を説明する説明図。
【図９】白粒子１４１と隔壁１５１との間の隙間１６０を示す概略図。
【図１０】電気泳動表示パネル２００の断面図。
【図１１】電気泳動表示パネル２００におけるセル１４０の拡大図。
【図１２】電気泳動表示パネル３００におけるセル１４０の拡大図。
【図１３】電気泳動表示パネル４００におけるセル１４０の拡大図。
【図１４】隔壁部材１１５０の色が黒色である従来の電気泳動表示パネル１１００におけるセル１１４０の拡大図。
【図１５】隔壁部材１５０の色が黒色である電気泳動表示パネル１００におけるセル１４０の拡大図。
【図１６】突出部の一例を示す隔壁部材１５０の正面図。
【図１７】突出部の一例を示す隔壁部材１５０の正面図。
【図１８】突出部の一例を示す隔壁部材１５０の断面図。
【図１９】突出部の一例を示す隔壁部材１５０の断面図。
【図２０】突出部の一例を示す隔壁部材１５０の断面図。
【図２１】突出部の一例を示す隔壁部材１５０の正面図。
【図２２】従来の電気泳動表示パネル１１００におけるセル１１４０の拡大図。
【図２３】セル１１４０の外周に生じる白粒子１１４１と隔壁１１５１との間の隙間１１６０を示す概略図。
【図２４】従来の電気泳動表示パネル１２００におけるセル１１４０の拡大図。
【符号の説明】
【０１４６】
１００  電気泳動表示パネル
１１０  上部基板
１１１  共通電極
１２０  下部基板
１２１  画素電極
１４０  セル
１４１  白粒子
１４２  黒粒子
１４３、２４３  分散媒
１５０  隔壁部材
１５１  隔壁
１５２、１５６、４５２、５５２、６５２、７５２、８５２、８５６  突出部
１５３、１５７  基部
１５５  連結部
【図１】
2008083450.tif 000003
【図２】
2008083450.tif 000004
【図３】
2008083450.tif 000005
【図４】
2008083450.tif 000006
【図５】
2008083450.tif 000007
【図６】
2008083450.tif 000008
【図７】
2008083450.tif 000009
【図８】
2008083450.tif 000010
【図９】
2008083450.tif 000011
【図１０】
2008083450.tif 000012
【図１１】
2008083450.tif 000013
【図１２】
2008083450.tif 000014
【図１３】
2008083450.tif 000015
【図１４】
2008083450.tif 000016
【図１５】
2008083450.tif 000017
【図１６】
2008083450.tif 000018
【図１７】
2008083450.tif 000019
【図１８】
2008083450.tif 000020
【図１９】
2008083450.tif 000021
【図２０】
2008083450.tif 000022
【図２１】
2008083450.tif 000023
【図２２】
2008083450.tif 000024
【図２３】
2008083450.tif 000025
【図２４】
2008083450.tif 000026